(57)【要約】【課題】カラスその他の鳥類からの果実の被害を防ぐことができるようにした、果実袋を提供する。【解決手段】外袋１３と、外袋１３の内側に設ける内袋１２とを備え、外袋１３の内表面Ｓ１３ｉ及び／又は内袋１２の外表面Ｓ１２ｏに、忌避剤１２ｂ、１３ｂを塗布した【選択図】図１
2006067846.tif 000002
【特許請求の範囲】
【請求項１】
果実を覆う袋として、その表面に忌避剤を塗布したものを用いた、果実袋。
【請求項２】
前記忌避剤を塗布した表面を更にパラフィンで覆った、請求項１に記載の果実袋。
【請求項３】
外袋と、
前記外袋の内側に設ける内袋とを備え、
前記外袋の内表面及び／又は前記内袋の外表面に、忌避剤を塗布した、果実袋。
【請求項４】
外袋と、
前記外袋の内側に設ける内袋とを備え、
前記外袋の内表面及び外表面、前記内袋の内表面及び外表面に、忌避剤を塗布し、前記忌避剤を塗布した、前記外袋の内表面及び外表面、前記内袋の内表面及び外表面を更にパラフィンで覆った、果実袋。
【請求項５】
前記忌避剤が、カプサイシンである、請求項１〜４のいずれかに記載の果実袋。  
【発明の詳細な説明】
【技術分野】
【０００１】
本発明は、果実袋に関し、特に、カラスその他の鳥類等からの果実の被害を防ぐことができるようにした、果実袋に関する。
【背景技術】
【０００２】
二十世紀梨その他の梨、桃その他の果実を生産する際に、果実が小さい間に、果実に果実袋をかぶせ、果実の耐病性や防虫性を高め、更には、表面に傷等がつかないようにするようなことが行われている。
【０００３】
特に、二十世紀梨のような果実にあっては、例えば、図１５（ａ）に示すように、果実Ｆの直径が約１．５ｃｍ位に生育した頃に、果実Ｆへの病害虫対策として、一重の果実袋（一番袋）１０１を果実Ｆにかぶせ、袋１０１の開口部近傍を、果実Ｆの茎部分Ｓｔｍに対し、針金、紐その他の締結手段Ｗを用い、果実Ｆの茎部分Ｓｔｍ、及び、この茎部分Ｓｔｍを覆う袋１０１の開口部近傍を巻きまわりして、果実Ｆへの果実袋１０１の袋かけ作業を終了するようにしている。
【０００４】
また、果実の生育がさらに進むと、例えば、図１５（ｂ）に示すように、果実Ｆへの病害虫対策に加えて、果実Ｆの肌の仕上がりをよくするため（すべすべ感の向上や、つやつや感の向上のため）や、果実Ｆの表面の着色ムラを防ぐため、内袋２０２と、外袋２０３とを備える２重袋２０１が用いられることが、多い。
【特許文献１】特開２０００−１８８９７５号公報
【特許文献２】特開２０００−３７１４２号公報
【特許文献３】特開２００１−８５６１号公報
【発明の開示】
【発明が解決しようとする課題】
【０００５】
しかしながら、果実Ｆに果実袋２０１をかぶせた状態にして、果実Ｆが実るようにした場合、果実Ｆが実ってくると、例えば、カラスその他の鳥類が、果実袋２０１を破って、その中にある果実Ｆをついばむということがしばしばある。
【０００６】
カラスその他の鳥類が、果実Ｆをついばむと、果実Ｆには、傷がついてしまう。
【０００７】
そして、傷のついた果実Ｆは、商品価値がないため、通常、全て廃棄処分されている。
【０００８】
しかしながら、傷のついた果実Ｆを廃棄処分した場合には、そのような果実Ｆを生育する際にかけた労力が全く無駄になる、という問題がある。
【０００９】
本発明は、以上のような問題を解決するためになされたものであって、果実に果実袋をかぶせておけば、例えば、少なくとも、果実が実る間、カラスその他の鳥が、果実袋を破って、その中にある果実をついばむことが殆ど無くなるようにした、カラスその他の鳥が果実をつつくことを防止するようにした果実袋を提供することを目的としている。
【課題を解決するための手段】
【００１０】
請求項１に記載の果実袋は、果実を覆う袋として、その表面に忌避剤を塗布したものを用いた。
【００１１】
ここで、本明細書で用いる用語、「忌避剤」は、鳥を忌避する鳥忌避剤、害虫を忌避する虫忌避剤、果実等にカビが生えるのを防止するカビ忌避剤、又は、果実が病気にかかるのを防止する細菌忌避剤が含まれる。
【００１２】
請求項２に記載の果実袋は、請求項１に記載の果実袋の忌避剤を塗布した表面を更にパラフィンで覆った。
【００１３】
請求項３に記載の果実袋は、外袋と、外袋の内側に設ける内袋とを備え、外袋の内表面及び／又は内袋の外表面に、忌避剤を塗布した。
【００１４】
請求項４に記載の果実袋は、外袋と、外袋の内側に設ける内袋とを備え、外袋の内表面及び外表面、内袋の内表面及び外表面に、忌避剤を塗布し、忌避剤を塗布した、外袋の内表面及び外表面、内袋の内表面及び外表面を更にパラフィンで覆った。
【００１５】
請求項５に記載の果実袋は、請求項１〜４に記載の果実袋で用いる、忌避剤が、カプサイシンであることを特徴とする。
【発明の効果】
【００１６】
請求項１に記載の果実袋は、果実を覆う袋の表面に、忌避剤を塗布しているので、例えば、カラスその他の鳥類が、この果実袋で覆われている果実をついばもうとして果実袋を破った際に、カラスその他の鳥類の口内に、忌避剤が入ることになるので、カラスその他の鳥類は、果実袋を破った時点で、果実をついばむことを諦める。この結果、果実をこの果実袋で覆えば、果実が、カラスその他の鳥についばまれることが防止される。
【００１７】
また、カラスのように学習能力の高い鳥類は、一度、果実袋で覆われている果実をついばもうとして果実袋を破った際に、口内に、忌避剤が入ったということを学習し、記憶するので、学習した、記憶にともなって、果実袋で覆われている果実をついばむことをしなくなる。このため、果実が、カラスその他の鳥類についばまれることが防止される。
【００１８】
請求項２に記載の果実袋では、果実を覆う袋の、忌避剤を塗布した表面を更にパラフィンで覆うようにしているので、忌避剤が果実に転着することが無いので、果実をそのまま食した場合に、果実をそのまま食した者が、忌避剤による舌刺激を受けることが無い。
【００１９】
請求項３に記載の果実袋は、請求項１に記載の果実袋と同様、果実を覆う袋の表面に、忌避剤を塗布しているので、請求項１に記載の果実袋と同様の効果を奏する。
【００２０】
のみならず、この果実袋では、袋を二重にし、内袋の外表面及び外袋の内表面の少なくとも一方に、忌避剤を塗布するようにしている。
【００２１】
即ち、この果実袋では、内袋の内表面には、忌避剤を塗布していない結果、果実の表面に、忌避剤が転着することが無いので、果実をそのまま食した場合に、果実をそのまま食した者が、忌避剤による舌刺激を受けることが無い。
【００２２】
また、この果実袋は、外袋の外表面に忌避剤を塗布したものに比べ、忌避剤が、経時的に失われ難くなっているので、果実に対する、鳥類の被害を、長期的に防ぐことができる。
【００２３】
請求項４に記載の果実袋では、忌避剤を塗布した、外袋の内表面及び外表面、内袋の内表面及び外表面を更にパラフィンで覆うようにしているので、忌避剤が果実に転着することが無い。
【００２４】
この結果、果実をそのまま食した場合に、果実をそのまま食した者が、忌避剤による舌刺激を受けることが無い。
【００２５】
また、この果実袋では、忌避剤を塗布した、外袋の内表面及び外表面、内袋の内表面及び外表面を更にパラフィンで覆うようにしているので、長期間、忌避剤の効果が持続する。
【００２６】
請求項５に記載の果実袋では、忌避剤として、カプサイシンを用いている。
【００２７】
これは、本発明者が、カラス等が多分いやがるであろうと思われる材料・成分を表面に塗布した梨等の果物をカラス等に対し与え、カラス等が、食さなかった果物に塗布されている材料をスクリーニングした結果、カラス等の鳥類には、忌避剤として、カプサイシンが有効である、ということを見出したものである。
【００２８】
また、本発明者は、調査・試験・研究の結果、カプサイシンは、鳥忌避剤として有効な他、害虫を忌避する虫忌避剤、果実等にカビが生えるのを防止するカビ忌避剤、又は、果実が病気にかかるのを防止する細菌忌避剤としても有効である、ということを見出している。
【発明を実施するための最良の形態】
【００２９】
以下、本発明に係る果実袋の一例を、更に、詳しく説明する。
（発明の実施の形態１）
図１は、本発明に係る果実袋の一例を概略的に示す構成図であり、図１（ａ）は、果実の直径が約１．５ｃｍ位に生育した頃に、果実への病害虫対策として用いる、一重の果実袋を示しており、また、図１（ｂ）は、果実の生育がさらに進んだ際に、病害虫対策に加えて、果実の肌の仕上がりをよくするため（すべすべ感の向上や、つやつや感の向上のため）や、果実の表面の着色ムラを防ぐため、内袋１２と、外袋１３とを備える２重袋を示している。
【００３０】
図１（ａ）に示す果実袋１は、果実袋１０１と同様である。
【００３１】
即ち、二十世紀梨のような果実にあっては、図１（ａ）に示すように、果実Ｆの直径が約１．５ｃｍ位に生育した頃に、果実Ｆへの病害虫対策として、一重の果実袋（一番袋）１を果実Ｆにかぶせ、袋１の開口部近傍を、果実Ｆの茎部分Ｓｔｍに対し、針金、紐その他の締結手段Ｗを用い、果実Ｆの茎部分Ｓｔｍ、及び、この茎部分Ｓｔｍを覆う袋１の開口部近傍を巻きまわりして、果実Ｆへの果実袋１の袋かけ作業を終了する。
【００３２】
図１（ｂ）に示す果実袋１１は、本発明に係る果実袋であって、内袋１２と、外袋１３とを備える。
【００３３】
図２（ａ）は、果実袋１１を構成する外袋１３の構成を示す模式的な断面図であり、また、図２（ｂ）は、果実袋１１を構成する内袋１２の構成を示す模式的な断面図である。
【００３４】
この果実袋１１では、図２（ａ）に示すように、外袋１３として、紙１３ａの内表面Ｓ１３ｉに、忌避剤（この例では、カプサイシン）１３ｂを塗布したものを用い、且つ、図２（ｂ）に示すように、内袋１２として、紙１２ａの外表面Ｓ１２ｏに、忌避剤（この例では、カプサイシン）１２ｂを塗布したものを用いている。
【００３５】
より詳しく説明すると、この果実袋１１では、外袋１３として、紙１３ａの外表面Ｓ１３ｏに、パラフィン処理が施され、その内表面Ｓ１３ｉに、忌避剤（この例では、カプサイシン）１３ｂを塗布したものを用い、且つ、内袋１２として、紙１２ａの内表面Ｓ１２ｉに、パラフィン処理が施され、外表面Ｓ１２ｏに、忌避剤（この例では、カプサイシン）１２ｂを塗布したものを用いている。
【００３６】
尚、唐辛子からカプサイシンを抽出する場合には、溶媒としては、例えば、アルコール、アセトン等の有機溶媒を用いる。
【００３７】
次に、この果実袋１１の使用方法を例示的に説明する。
【００３８】
この果実袋１１は、図１（ｂ）に示すように、果実Ｆに果実袋１１をかぶせ、果実Ｆへの病害虫対策に加えて、果実Ｆの表面に傷等がつかないようにするために使用するものである。
【００３９】
この果実袋１１を、果実Ｆに袋がけ作業をする際には、まず、内袋１２で果実Ｆを覆い、内袋１２で覆われた果実Ｆを、内袋１２を覆うように、外袋１３で覆う。
【００４０】
次に、内袋１２の開口部近傍と、外袋１３の開口部近傍とを重ね合わせ、果実Ｆの茎部分Ｓｔｍに対し、例えば、針金、紐その他の締結手段Ｗを用い、果実Ｆの茎部分Ｓｔｍ、この茎部分Ｓｔｍを覆う内袋１２の開口部近傍、及び、この茎部分Ｓｔｍを覆う内袋２を覆うように設けられている外袋１３の開口部近傍を巻きまわりして、果実Ｆへの果実袋１１の袋かけ作業を終了する。
【００４１】
この果実袋１１は、果実Ｆを覆う袋１２、１３の表面に、忌避剤（この例では、カプサイシン）を塗布しているので、カラスその他の鳥類が、この果実袋１１で覆われている果実Ｆをついばもうとして果実袋１１を破った際に、カラスその他の鳥類の口内に、忌避剤（この例では、カプサイシン）が入ることになる。
【００４２】
この結果、カラスその他の鳥類は、果実袋１１を破った時点で、果実Ｆをついばむことを諦める。
【００４３】
従って、果実Ｆをこの果実袋１１で覆えば、果実Ｆが、カラスその他の鳥類についばまれることが防止される。
【００４４】
また、カラスのように学習能力の高い鳥類は、一度、果実袋１１で覆われている果実Ｆをついばもうとして果実袋１１を破った際に、口内に、忌避剤が入ったということを学習し、記憶するので、学習し、記憶にともなって、果実袋１１で覆われている果実Ｆをついばむことをしなくなる。このため、果実Ｆが、カラスその他の鳥類についばまれることが防止される。
【００４５】
更に、この果実袋１１では、袋を、内袋１２と、外袋１３との二重にし、内袋１２の外表面Ｓ１２ｏと、外袋１３の内表面Ｓ１３ｉとの双方に、忌避剤（この例では、カプサイシン）を塗布するようにしているので、カラスその他の鳥類が、この果実袋１１で覆われている果実Ｆをついばもうとして果実袋１１を破った際に、カラスその他の鳥類の口内に、内袋１２の外表面Ｓ１２ｏに塗布されている忌避剤（この例では、カプサイシン）と、外袋１３の内表面Ｓ１３ｉに塗布されている忌避剤（この例では、カプサイシン）とが入ることになるので、カラスその他の鳥類は、果実袋１１を破った時点で、より一層、果実Ｆをついばむことを諦める。この結果、果実Ｆをこの果実袋１で覆えば、果実Ｆが、カラスその他の鳥類についばまれることが、より一層、防止される。
【００４６】
また、この果実袋１１では、内袋１２の外表面Ｓ１２ｏに、忌避剤（この例では、カプサイシン）を塗布し、内袋１２の内表面Ｓ１２ｉには、忌避剤（この例では、カプサイシン）を塗布しないようにしているので、果実Ｆの表面には、忌避剤（この例では、カプサイシン）が転着することが無い。この結果、果実をそのまま食した場合に、果実をそのまま食した者が、忌避剤（この例では、カプサイシン）よる舌刺激（辛いという感覚）を受けることが無い。
【００４７】
また、この果実袋１１は、外袋１３の外表面Ｓ１３ｏに忌避剤（この例では、カプサイシン）を塗布した場合に比べ、忌避剤（この例では、カプサイシン）が、経時的に失われ難くなっているので、果実Ｆに対する、鳥類の被害を、長期的に防ぐことができる。
【００４８】
次に、この果実袋１１で用いる、外袋１３又は内袋１２の製造方法を例示的に説明する。
【００４９】
図３は、外袋１３又は内袋１２用の忌避剤を塗布した忌避剤塗布紙を製造する忌避剤塗布紙製造装置を模式的に示す構成図である。
【００５０】
この忌避剤塗布紙製造装置２１は、基紙Ｐが巻き取られている基紙供給用リール２２と、リール２２から供給されてくる基紙Ｐの表面に忌避剤を塗布する忌避剤塗布装置２３と、忌避剤が塗布された忌避剤塗布紙を乾燥させる乾燥装置２４と、乾燥装置２４により乾燥させた、忌避剤塗布紙を巻き取る、忌避剤塗布紙巻き取り用リール２５とを備える。
【００５１】
基紙供給用リール２２は、基紙供給用リール取り付け軸２６に回転可能に取り付けられる。
【００５２】
また、忌避剤塗布紙巻き取り用リール２５は、駆動手段（図示せず。）により回転可能にされた、忌避剤塗布紙巻き取り用リール取り付け軸２７に固定的に取り付けられる。
【００５３】
尚、図３中、２８ａ、２８ｂ、２８ｃ、２８ｄで示す部材装置は、紙搬送用ローラを示している。
【００５４】
忌避剤塗布装置２３は、忌避剤貯留槽２９と、忌避剤供給管３０と、忌避剤塗布部３１とを備える。
【００５５】
忌避剤供給管３０は、その一端ｅ３０ａが、忌避剤貯留槽２９の底面に接続され、その他端ｅ３０ｂが、忌避剤塗布部３１に接続され、また、その途中の位置には、開閉バルブ３２が設けられ、開閉バルブ３２を開閉することにより、忌避剤貯留槽２９に貯留された忌避剤の忌避剤塗布部３１への供給、停止、及び、流量の調整ができるようになっている。
【００５６】
図４（ａ）は、忌避剤塗布装置２３の忌避剤塗布部３１の構成を概略的に示す断面図であり、また、図４（ｂ）は、忌避剤塗布部３１を構成している刷毛部の一本の毛の模式的な横断面図である。
【００５７】
忌避剤塗布部３１は、筐体部３５と、筐体部３５の下方に設けられた刷毛部３３とを備える。
【００５８】
筐体部３５内には、ゴム多孔質体３４が収容されている。
【００５９】
ゴム多孔質体３４の下面Ｓ３４ｂには、刷毛部３３を構成する複数の毛が植え込まれている。
【００６０】
刷毛部３３を構成する複数の毛の各々には、その側面に、その長さ方向に伸びる溝ｄ４が、少なくとも１本形成されている（この例では、一本の毛の側面に、その長さ方向に伸びる溝ｄ４を、４本形成したものを例示している。）。
【００６１】
このゴム多孔質体３４は、その上面Ｓ３４ａから下面Ｓ３４ｂに連通する連通孔（図示せず。）を多数有している。
【００６２】
そして、忌避剤塗布部３１に、忌避剤供給管３０を介して、忌避剤貯留槽２９から供給された忌避剤は、連通孔（図示せず。）を毛細管現象により、その上面Ｓ３４ａから下面Ｓ３４ｂに滲みだすようにして供給されるようになっている。
【００６３】
ゴム多孔質体３４の下面Ｓ３４ｂに供給された忌避剤は、図４（ｂ）に示すように、毛の側面に設けられた溝ｄ４を毛細管現象によりその先端（下端）まで、移動し、刷毛部３３の下方位置を通過する基紙の表面に、忌避剤を塗布できるようになっている。
【００６４】
乾燥装置２４は、乾燥室２４ａと、乾燥室２４ａへ供給する温風を発生させる空気源２４ｂとを備える。
【００６５】
空気源２４ｂとしては、例えば、ブロア等を用いる。
【００６６】
また、忌避剤が塗布された基紙は、乾燥室２４ａ内を通過するようにされている。
【００６７】
尚、この乾燥装置２４では、乾燥室２４ａ内に供給された温風は、溶媒とともに大気中へ放出されるようになっている。
【００６８】
次に、忌避剤塗布紙製造装置２１を用い、忌避剤塗布紙を製造する、忌避剤塗布紙の製造方法の一例を概略的に説明する。
【００６９】
忌避剤塗布紙を製造する際には、まず、基紙が巻き取られている、基紙供給用リール２２を、基紙供給用リール取り付け軸２６に回転可能に取り付ける。
【００７０】
また、忌避剤塗布紙巻き取り用リール取り付け軸２７に、忌避剤塗布紙巻き取り用リール２５を取り付ける。
【００７１】
その後、忌避剤塗布紙巻き取り用リール取り付け軸２７に、基紙供給用リール取り付け軸２６に巻き取られている基紙の先端を、ローラ２８ａとローラ２８ｂとの間、忌避剤塗布装置２３の刷毛部３３の下方、乾燥室２４ａ内、及び、ローラ２８ｃとローラ２８ｄとの間を通過するようにして、忌避剤塗布紙巻き取り用リール２５に取り付ける。
【００７２】
また、忌避剤塗布装置２３の忌避剤貯留槽２９内に、忌避剤（溶液）を収容する。
【００７３】
次に、開閉バルブ３２を所定の開口量に調整し、忌避剤貯留槽２９に貯留された忌避剤を忌避剤塗布部３１へ供給し、忌避剤塗布部３１の刷毛部３３の毛先（先端）に、忌避剤（溶液）が供給された状態にする。
【００７４】
次に、乾燥装置２４を駆動し、乾燥室２４ａ内へ温風を供給する。
【００７５】
次に、忌避剤塗布紙巻き取り用リール取り付け軸２７を駆動手段（図示せず。）を用い、所定の速度で、基紙供給用リール２２に巻き取られている基紙を、忌避剤塗布紙巻き取り用リール２５側に搬送する。
【００７６】
基紙供給用リール２２から忌避剤塗布紙巻き取り用リール２５側に搬送される基紙の表面には、忌避剤塗布部３１の刷毛部３３を用いて、忌避剤（溶液）が塗布される。
【００７７】
忌避剤（溶液）が表面に塗布された基紙は、乾燥室２４ａを通過する際に、十分に乾燥される。
【００７８】
その後、乾燥した忌避剤塗布紙を、忌避剤塗布紙巻き取り用リール２５に巻き取る。
【００７９】
次に、忌避剤塗布紙巻き取り用リール２５に巻き取られた忌避剤塗布紙を用いて、内袋１２と、外袋１３とを作成する。
【００８０】
この際、内袋１２の外表面Ｓ１２ｏに、忌避剤層が来るように、また、外袋１３の内表面Ｓ１３ｉに、忌避剤層が来るようにする。
【００８１】
尚、上記した発明の実施の形態１では、内袋１２の外表面Ｓ１２ｏ及び外袋１３の内表面Ｓ１３ｉの双方に、忌避剤層を設けた果実袋１１について説明したが、これは、単なる例示であって、本発明に係る果実袋には、内袋１２の外表面Ｓ１２ｏ又は外袋１３の内表面Ｓ１３ｉのいずれか一方にのみ、忌避剤層を設けたものや、広くは、袋が一枚で構成され、その内表面及び／又は外表面に忌避剤層を設けたものも含まれる。
【００８２】
より具体的に説明すると、果実袋１のように、袋が一枚で構成され、その内表面及び／又は外表面に忌避剤層を設けたものも含まれることを付記しておく。
【００８３】
（発明の実施の形態２）
図５は、本発明に係る果実袋の他の一例を概略的に示す断面図であり、図５（ａ）は、本発明に係る果実袋を構成する外袋の構成を示す模式的な断面図であり、また、図５（ｂ）は、本発明に係る果実袋を構成する内袋の構成を示す模式的な断面図である。
【００８４】
この果実袋４１では、図５（ａ）に示すように、外袋４３として、紙４３ａの外表面Ｓ４３ｏ及び内表面Ｓ４３ｉの各々に、忌避剤（この例では、カプサイシン）４３ｂ、４３ｂを塗布し、紙４３ａの外表面Ｓ４３ｏ及び内表面Ｓ４３ｉの各々に塗布された忌避剤（この例では、カプサイシン）４３ｂ、４３ｂの各々を更にパラフィン４３ｃ、４３ｃで覆うようにしたものを用い、且つ、図５（ｂ）に示すように、内袋４２として、紙４２ａの外表面Ｓ４２ｏ及び内表面Ｓ４２ｉの各々に、忌避剤（この例では、カプサイシン）４２ｂ、４２ｂを塗布し、紙４２ａの外表面Ｓ４２ｏ及び内表面Ｓ４２ｉの各々に塗布された忌避剤（この例では、カプサイシン）４２ｂ、４２ｂの各々を更にパラフィン４２ｃ、４２ｃで覆うようにしたものを用いている。
【００８５】
尚、唐辛子からカプサイシンを抽出する場合には、溶媒としては、例えば、アルコール、アセトン等の有機溶媒を用いる。
【００８６】
尚、この果実袋４１の使用方法は、果実袋１１の使用方法と同様である。
【００８７】
即ち、この果実袋４１を、果実に袋がけ作業をする際には、まず、内袋４２で果実を覆い、内袋４２で覆われた果実を、内袋４２を覆うように、外袋４３で覆う。
【００８８】
次に、内袋４２の開口部近傍と、外袋４３の開口部近傍とを重ね合わせ、果実の茎部分に対し、針金、紐その他の締結手段を用い、果実の茎部分、この茎部分を覆う内袋４２の開口部近傍、及び、この茎部分を覆う内袋４２を覆うように設けられている外袋４３の開口部近傍を巻きまわりして、果実への果実袋４１の袋かけ作業を終了する。
【００８９】
この果実袋４１は、果実を覆う内袋４２の表面（この例では、紙４２ａの外表面Ｓ４２ｏ及び内表面Ｓ４２ｉの各々）に、忌避剤（この例では、カプサイシン）を塗布し、外袋４３の表面（この例では、紙４３ａの外表面Ｓ４３ｏ及び内表面Ｓ４３ｉの各々）に、忌避剤（この例では、カプサイシン）を塗布しているので、カラスその他の鳥類が、この果実袋４１で覆われている果実をついばもうとして果実袋４１を破った際に、カラスその他の鳥類の口内に、忌避剤（この例では、カプサイシン）が入ることになる。
【００９０】
この結果、カラスその他の鳥類は、果実袋４１を破った時点で、果実をついばむことを諦める。
【００９１】
従って、果実をこの果実袋４１で覆えば、果実Ｆが、カラスその他の鳥類についばまれることが防止される。
【００９２】
また、カラスのように学習能力の高い鳥類は、一度、果実袋４１で覆われている果実をついばもうとして果実袋４１を破った際に、口内に、忌避剤が入ったということを学習し、記憶するので、学習し、記憶にともなって、果実袋４１で覆われている果実をついばむことをしなくなる。このため、果実が、カラスその他の鳥類についばまれることが防止される。
【００９３】
更に、この果実袋４１では、忌避剤を塗布した、外袋４３の内表面Ｓ４３ｉ及び外表面Ｓ４３ｏの各々を更にパラフィン４３ｃ、４３ｃで覆うようにし、内袋４２の内表面Ｓ４２ｉ及び外表面Ｓ４２ｏの各々を更にパラフィン４２ｃ、４２ｃで覆うようにしているので、忌避剤が果実に転着することが無い。
【００９４】
この結果、果実をそのまま食した場合に、果実をそのまま食した者が、忌避剤による舌刺激を受けることが無い。
【００９５】
また、この果実袋４１では、忌避剤を塗布した、外袋４３の内表面Ｓ４３ｉ及び外表面Ｓ４３ｏ、内袋４２の内表面Ｓ４２ｉ及び外表面Ｓ４２ｏを更にパラフィンで覆うようにしているので、長期に亘って、忌避剤の効果が持続する。
【００９６】
次に、この果実袋４１で用いる、外袋４３又は内袋４２の製造方法を例示的に説明する。
【００９７】
図６は、外袋４３又は内袋４２用の忌避剤を塗布した忌避剤塗布紙を製造する忌避剤塗布紙製造装置を模式的に示す構成図である。
【００９８】
この忌避剤塗布紙製造装置５１は、基紙Ｐが巻き取られている基紙供給用リール５２と、リール５２から供給されてくる基紙Ｐの表面に忌避剤を塗布する忌避剤収容槽５３と、忌避剤が塗布された忌避剤塗布紙を乾燥させる第１の乾燥装置５４と、忌避剤が塗布された忌避剤塗布紙の表面にパラフィンを塗布するパラフィン収容槽５９と、忌避剤及び忌避剤層の上にパラフィンが塗布された忌避剤塗布紙を乾燥させる第２の乾燥装置６０と、第２の乾燥装置６０により乾燥させた、忌避剤塗布紙を巻き取る、忌避剤塗布紙巻き取り用リール５５とを備える。
【００９９】
基紙供給用リール５２は、基紙供給用リール取り付け軸５６に回転可能に取り付けられる。
【０１００】
また、忌避剤塗布紙巻き取り用リール５５は、駆動手段（図示せず。）により回転可能にされた、忌避剤塗布紙巻き取り用リール取り付け軸５７に固定的に取り付けられる。
【０１０１】
尚、図６中、５８ａ、５８ｂ、５８ｃ、５８ｄ、５８ｅ、５８ｆ、５８ｇ、５８ｈ、５８ｉ、５８ｊ、５８ｋ、５８ｌ、５８ｍ、５８ｎ、５８ｏ、５８ｐ、５８ｑ、５８ｒ、５８ｓ、５８ｔ、５８ｕ及び５８ｖで示す部材装置の各々は、紙搬送用ローラを示している。
【０１０２】
紙搬送用ローラ５８ａ、５８ｂ、５８ｃ、５８ｄは、基紙供給用リール取り付け軸５６に回転可能に取り付けられている基紙供給用リール５２に巻き回りされている基紙を、基紙供給用リール５２から忌避剤収容槽５３へ搬送するためのものである。
【０１０３】
紙搬送用ローラ５８ｅ、５８ｆ、５８ｇ、５８ｈは、基紙を忌避剤中に浸漬し、基紙の表面に忌避剤を塗布するためのものであり、忌避剤収容槽５３内に設けられている。
【０１０４】
紙搬送用ローラ５８ｉ、５８ｊ、５８ｋ、５８ｌは、忌避剤が塗布された基紙を第１の乾燥装置５４の乾燥室５４ａ内へ搬送するためのものである。
【０１０５】
紙搬送用ローラ５８ｍ、５８ｎ、５８ｏ、５８ｐは、忌避剤が塗布された基紙を、乾燥後、パラフィン中に浸漬し、忌避剤が塗布された基紙の表面にパラフィンを塗布するためのものであり、パラフィン収容槽６０内に設けられている。
【０１０６】
紙搬送用ローラ５８ｓ、５８ｔ、５８ｕ、５８ｖは、忌避剤及び忌避剤の表面にパラフィンが塗布された基紙を、乾燥後、忌避剤塗布紙巻き取り用リール取り付け軸５７に回転可能に取り付けられている忌避剤塗布紙巻き取り用リール５５へ搬送するためのものである。
【０１０７】
第１の乾燥装置５４は、乾燥室５４ａと、乾燥室５４ａへ供給する温風を発生させる空気源５４ｂとを備える。
【０１０８】
空気源５４ｂとしては、例えば、ブロア等を用いる。
【０１０９】
また、忌避剤が塗布された基紙は、乾燥室５４ａ内を通過するようにされている。
【０１１０】
尚、この乾燥装置５４では、乾燥室５４ａ内に供給された温風は、溶媒とともに大気中へ放出されるようになっている。
【０１１１】
パラフィン収容槽５９は、ヒータ等の加熱手段（図示せず。）を備え、パラフィン収容槽５９内に収容したパラフィンを溶融（液状）に保持できるようになっている。
【０１１２】
第２の乾燥装置６０は、乾燥室６０ａと、乾燥室６０ａへ供給する温風を発生させる空気源６０ｂとを備える。
【０１１３】
空気源６０ｂとしては、例えば、ブロア等を用いる。
【０１１４】
また、忌避剤及びパラフィンが塗布された基紙は、乾燥室６０ａ内を通過するようにされている。
【０１１５】
次に、忌避剤塗布紙製造装置５１を用い、忌避剤及びパラフィンが塗布された忌避剤塗布紙を製造する、忌避剤塗布紙の製造方法の一例を概略的に説明する。
【０１１６】
忌避剤及びパラフィンが塗布された忌避剤塗布紙を製造する際には、まず、所望の濃度の忌避剤溶液を忌避剤収容槽５３内に収容する。
【０１１７】
また、パラフィンをパラフィン収容槽５９内に収容後、ヒータ等の加熱手段（図示せず。）を用い、パラフィン収容槽５９内に収容したパラフィンを所定の温度に保持し、溶融（液状）に保持する。
【０１１８】
また、基紙が巻き取られている、基紙供給用リール５２を、基紙供給用リール取り付け軸５６に回転可能に取り付ける。
【０１１９】
また、忌避剤塗布紙巻き取り用リール取り付け軸５７に、忌避剤塗布紙巻き取り用リール５５を取り付ける。
【０１２０】
その後、忌避剤塗布紙巻き取り用リール取り付け軸５７に、基紙供給用リール取り付け軸５６に巻き取られている基紙の先端を、ローラ５８ａとローラ５８ｂとの間、ローラ５８ｃとローラ５８ｄとの間、ローラ５８ｅとローラ５８ｆとの間、ローラ５８ｉとローラ５８ｊとの間、ローラ５８ｋとローラ５８ｌとの間、ローラ５８ｍとローラ５８ｎとの間、ローラ５８ｏとローラ５８ｐとの間、ローラ５８ｑとローラ５８ｒとの間、ローラ５８ｓとローラ５８ｔとの間、ローラ５８ｕとローラ５８ｖとの間を通過するようにして、忌避剤塗布紙巻き取り用リール５５に取り付ける。
【０１２１】
次に、第１の乾燥装置５４を駆動し、乾燥室５４ａ内へ温風を供給する。
【０１２２】
また、第２の乾燥装置６０を駆動し、乾燥室６０ａ内へ温風を供給する。
【０１２３】
次に、忌避剤塗布紙用リール取り付け軸５７を駆動手段（図示せず。）を用い、所定の速度で、基紙供給用リール５２に巻き取られている基紙を、忌避剤塗布紙巻き取り用リール５５側に搬送する。
【０１２４】
基紙供給用リール５２から忌避剤塗布紙巻き取り用リール５５側に搬送される基紙の表面には、忌避剤収容槽５３内を通過する際に、忌避剤（溶液）が塗布される。
【０１２５】
忌避剤（溶液）が表面に塗布された基紙は、乾燥室５４ａを通過する際に、十分に乾燥される。
【０１２６】
その後、忌避剤（溶液）が表面に塗布された基紙は、パラフィン収容槽５９内を通過する際に、その表面にパラフィンが塗布される。
【０１２７】
忌避剤（溶液）及びパラフィンが表面に塗布された基紙は、乾燥室６０ａを通過した後、忌避剤塗布紙巻き取り用リール５５に巻き取る。
【０１２８】
次に、忌避剤塗布紙巻き取り用リール５５に巻き取られた忌避剤塗布紙を用いて、内袋４２と、外袋４３とを作成する。
【０１２９】
尚、上記した発明の実施の形態２では、内袋４２の内表面Ｓ４２ｉ及び外表面Ｓ４２ｏの各々に、忌避剤及びパラフィンが塗布され、外袋１３の内表面Ｓ４３ｉ及び外表面Ｓ４３ｏの各々に、忌避剤及びパラフィンが塗布された果実袋４１について説明したが、これは、単なる例示であって、本発明に係る果実袋には、図７に示す果実袋も含まれる。
【０１３０】
この果実袋７１は、内袋７２と、外袋７３とを備え、外袋７３の紙７３ａの内表面Ｓ７３ｉには、忌避剤７３ｂ、及び、忌避剤７３ｂを覆うようにパラフィン７３ｃが塗布され、外袋７３の紙７３ａの外表面Ｓ７３ｏには、パラフィン７３ｃが塗布され、内袋７２の外表面Ｓ７２ｏには、忌避剤７２ｂ、及び、忌避剤７２ｂを覆うようにパラフィン７２ｃが塗布され、内袋７２の内表面Ｓ７２ｉには、パラフィン７３ｃが塗布されている。
【０１３１】
尚、果実袋７１を作製する際に用いる、忌避剤塗布紙の表面にパラフィンが、その表面に凹凸を有する状態で形成されたり、又は、厚さにムラを生じた状態で形成されている場合には、図８に例示するように、そのような表面に凹凸を有する状態で形成されたり、又は、厚さにムラを生じた状態で形成されているパラフィン層をブレードＢＬで削ることで、パラフィン層の表面を平になるように表面仕上げしてもよい。
【０１３２】
この果実袋７１は、例えば、発明の実施の形態１の中において説明した、一方の表面に忌避剤が塗布された忌避剤塗布紙を、パラフィン（溶融、液状）中に浸漬した後、内袋７２の紙７２ａの外表面Ｓ７２ｏに、忌避剤層が来るように、また、外袋７３の紙７３ａの内表面Ｓ７３ｉに、忌避剤層が来るようにして製造すればよい。
【０１３３】
また、内袋と、外袋とを備え、外袋の外表面に、忌避剤、及び、忌避剤を覆うようにパラフィンが塗布され、外袋の内表面には、パラフィンが塗布され、内袋の外表面及び／又は内表面にはパラフィンのみが塗布されている果実袋も本願発明に係る果実袋に含まれる。
【０１３４】
また、広くは、袋が一枚で構成され、その内表面及び／又は外表面に忌避剤層を設けたものも含まれる。
【０１３５】
より具体的に説明すると、果実袋１のように、袋が一枚で構成され、その内表面及び／又は外表面に忌避剤層及び忌避剤層を覆うようにパラフィン層を設けたものも含まれる。
【０１３６】
また、発明の実施の形態１では、忌避剤（この例では、カプサイシン）を、忌避剤塗布部３１の刷毛部３３を用いて、基紙に塗布した例を説明し、また、発明の実施の形態２では、忌避剤（この例では、カプサイシン）を、いわゆる浸漬法により、基紙に塗布した例を説明したが、これは、単なる例示であって、忌避剤（この例では、カプサイシン）を、ローラー又はスプレー手段を用いて、基紙に塗布するようにしてもよい。
【０１３７】
また、発明の実施の形態２では、パラフィン層を、いわゆる浸漬法により、基紙に塗布した例を説明したが、これは、単なる例示であって、パラフィン層を、ローラー又はスプレー手段を用いて、基紙に塗布するようにしてもよい。
【０１３８】
次に、本発明に係る果実袋の形状について、例示的に、説明する。
（発明の実施の形態３）
ここでは、本発明に係る果実袋の形状を例示的に説明する。
【０１３９】
図９は、本発明に係る果実袋の一例の使用例を模式的に示す斜視図である。
【０１４０】
また、図１０（ａ）は、図９に示す果実袋を模式的に示す斜視図であり、また、図１０（ｂ）は、図９に示す果実袋の模式的な展開図である。
【０１４１】
この果実袋８１は、いわゆる一番袋の一例を示している。
【０１４２】
果実袋（一番袋）としては、従来の果実袋１０１を用いても良いが、ここでは、果実袋８１の紙として、忌避剤（この例では、カプサイシン）をその片面又は両面に塗布した紙、又は、忌避剤（この例では、カプサイシン）をその片面又は両面に塗布し、忌避剤（この例では、カプサイシン）を更にパラフィン層で覆った紙を用いている。
【０１４３】
この果実袋８１は、折れ線ｆ１により、一対の袋半体部８１ａ、８１ｂを形成するとともに、一対の袋半体部８１ａ、８１ｂの一方の袋半体部８１ａの、折れ線ｆ１に対向する長辺ｓｌ、及び、長辺ｓｌに隣接する、一対の短辺ｓｓａ、ｓｓｂの一方の短辺ｓｓａの各々の外方に、のりしろ面ｔ１、ｔ２を各々を備え、のりしろ面ｔ１、ｔ２の各々にのり面を形成し、のりしろ面ｔ１、ｔ２の各々を一対の袋半体部８１ａ、８１ｂの他方の袋半体部８１ｂにのり止めし、袋体が形成されるようにしている。且つ、この果実袋８１は、長辺ｓｌに隣接する、一対の短辺ｓｓａ、ｓｓｂの他方の短辺ｓｓｂの外方に、のりしろ面ｔ３を備え、のりしろ面ｔ３に、のり面を形成している。
【０１４４】
のりしろ面ｔ３は、のりしろ面ｔ３で、袋体の上部開口部ｈｕを塞いだ際に、袋体の上部開口部ｈｕの両端の各々に隙間ｓｐ１、ｓｐ２が形成されるように、その両端を斜めにカットし、切欠部Ｌを形成している。
【０１４５】
この果実袋８１は、果実Ｆの直径が約１．５ｃｍ位に生育した頃に、果実Ｆを、果実袋８１の上部開口部ｈｕを通じて、袋内に収容し、のりしろ面ｔ３を用いて、上部開口部ｈｕを接着止めする。この際、図９に示すように、果実Ｆの茎部分Ｓｔｍを切欠部Ｌを通じて袋の外に出すようにする。
【０１４６】
また、図１１は、本発明に係る果実袋（二重袋）の一例を模式的に示す斜視図である。
【０１４７】
また、図１２（ａ）は、図１１に示す果実袋（二重袋）の内袋の模式的な展開図であり、又、図１２（ｂ）は、図１１に示す果実袋（二重袋）の外袋の模式的な展開図である。
【０１４８】
この果実袋９１は、内袋９２と、外袋９３とを備える。
【０１４９】
尚、図１１中、Ｗで示す部材は、針金、紐その他の締結手段を示している。
【０１５０】
また、この例では、使用の際の便宜を考慮して、果実袋９１の一枚毎に、一対の締結手段Ｗ、Ｗを仮止めしているが、本発明に係る果実袋は、果実袋９１の一枚毎に、一対の締結手段Ｗ、Ｗを仮止めしているものには限られない。
【０１５１】
内袋９２としては、例えば、ティッシュペーパーなどに用いられている繊維が比較的太く且つ柔かい紙質の基紙の片面又は両面に、忌避剤（この例では、カプサイシン）を塗布した紙、又は、ティッシュペーパーなどに用いられている繊維が比較的太く且つ柔かい紙質の基紙の片面又は両面に、忌避剤（この例では、カプサイシン）を塗布し、忌避剤（この例では、カプサイシン）を更にパラフィン層で覆った紙を用いている。
【０１５２】
外袋９３としては、例えば、基紙（この例では、クラフト紙（１ｍ２当たり５０ｇ程度の重量を有する紙）の片面又は両面に、忌避剤（この例では、カプサイシン）を塗布した紙、又は、基紙（この例では、クラフト紙（１ｍ２当たり５０ｇ程度の重量を有する紙）の片面又は両面に、忌避剤（この例では、カプサイシン）を塗布し、忌避剤（この例では、カプサイシン）を更にパラフィン層で覆った紙を用いている。
【０１５３】
内袋９２は、図１２（ａ）に示すように、折れ線ｆ２、ｆ３により、内袋表面部９２ａ、と、内袋裏面半体部９２ｂ、９２ｃを形成するとともに、内袋表面部９２ａの、折れ線ｆ２と折れ線ｆ３とに挟まれる一対の短辺ｓｓ２ａ、ｓｓ２ｂの一方の短辺ｓｓ２ａの外方にのりしろ面ｔ４を備え、袋裏面半体部９２ｂの、折れ線ｆ２に対向する長辺ｓｌ１に、のりしろ面ｔ５を備える。
【０１５４】
また、内袋９２は、内袋表面部９２ａの、折れ線ｆ２と折れ線ｆ３とに挟まれる一対の短辺ｓｓ２ａ、ｓｓ２ｂの他方の短辺ｓｓ２ｂの外方にのりしろ面ｔ６を備える。
【０１５５】
のりしろ面ｔ６の両端の各々には切欠部Ｌ２、Ｌ２が、形成されている。
【０１５６】
且つ、この内袋９２では、のりしろ面ｔ４、ｔ５、ｔ６の各々にのり面を形成している。
【０１５７】
また、外袋９３は、図１２（ｂ）に示すように、折れ線ｆ４、ｆ５により、外袋表面部９３ａと、外袋裏面半体部９３ｂ、９３ｃを形成するとともに、袋表面部９３ａの、折れ線ｆ４と折れ線ｆ５とに挟まれる一対の短辺ｓｓ３ａ、ｓｓ３ｂの一方の短辺ｓｓ３ａの外方にのりしろ面ｔ７を備え、袋裏面半体部９３ｂの、折れ線ｆ４に対向する長辺ｓｌ３に、のりしろ面ｔ８を備える。
【０１５８】
尚、この例では、内袋９２ののりしろ面ｔ６にのり面を形成した例を示したが、これは、単なる例示であって、果実袋９１を果実に締結手段Ｗ、Ｗを用いて取り付ける場合にあっては、のりしろ面ｔ６に、必ずしも、のり面を形成しなくくてもよい。
【０１５９】
且つ、この外袋９３では、のりしろ面ｔ７、ｔ８の各々にのり面を形成している。
【０１６０】
外袋９３の縦横寸法は、内袋９２を、外袋９３内に収容できるように、内袋９２の縦横寸法よりも、やや大きめにされている。
【０１６１】
この果実袋９１は、のりしろ面ｔ５を用いて、内袋裏面半体部９２ｂと、内袋裏面半体部９２ｃとを接着した後、これを、外袋９３の外袋表面部９３ａ上に載置し、のりしろ面ｔ８を用いて、外袋裏面半体部９３ｂと、外袋裏面半体部９３ｃとを接着した後、のりしろ面ｔ４と、のりしろ面ｔ７を重ね合わせた状態で、のりしろ面ｔ４と、のりしろ面ｔ７を、外袋裏面半体部９３ｂと、外袋裏面半体部９３ｃとに接着する。
【０１６２】
この果実袋９１は、果実の生育がさらに進み、果実Ｆへの病害虫対策に加えて、果実Ｆの肌の仕上がりをよくするため（すべすべ感の向上や、つやつや感の向上のため）や、果実Ｆの表面の着色ムラを防ぐために使用する。
【０１６３】
この際、果実を、果実袋９１の内袋９２の上部開口部ｈｕ２を通じて、内袋９２内に収容し、のりしろ面ｔ６を用いて、果実の茎部分を切欠部Ｌ２を通じて内袋９２の外に出すようにして、上部開口部ｈｕ２を接着止めするとともに、針金、紐その他の締結手段Ｗを用い、果実の茎部分、内袋９２の上部開口部近傍、及び、外袋９３の上部開口部近傍を巻きまわりして、果実への果実袋９１の袋かけ作業を終了するようにする。
【０１６４】
図１３は、本発明に係る果実袋（二重袋）の他の一例を模式的に示す平面図であり、図１３（ａ）は、本発明に係る果実袋（二重袋）の他の一例の内袋を模式的に示す平面図であり、また、図１３（ｂ）は、本発明に係る果実袋（二重袋）の他の一例の外袋を模式的に示す平面図である。
【０１６５】
また、図１４（ａ）は、図１３（ａ）に示す果実袋（二重袋）の内袋の模式的な展開図であり、また、図１４（ｂ）は、図１３（ｂ）に示す果実袋（二重袋）の外袋の模式的な展開図である。
【０１６６】
この果実袋９１Ａは、下記に示す構成以外の構成は、果実袋９１と同様の構成であるので、果実袋９１Ａの構成部材中、果実袋９１の構成部材に相当する構成部材については、果実袋９１の構成部材に付した参照符号と同一の参照符号を付して、その説明を省略する。
【０１６７】
この果実袋９１Ａでは、その内袋９２Ａの下方位置に、折れ線ｆ２を中心線として、内袋半体部９２ｂと、内袋表面部９２ａにまたがるように、三角形状の切欠部Ｌ３を設け、折れ線ｆ３を中心線として、内袋半体部９２ｃと、内袋表面部９２ａにまたがるように、三角形状の切欠部Ｌ３を設けている。
【０１６８】
また、この果実袋９１Ａでは、内袋９２Ａの上部に、その下部方向に伸びる切込線Ｌ４・・・を形成している。
【０１６９】
また、この果実袋９１Ａでは、その外袋９３Ａの下方位置に、折れ線ｆ４から外袋半体部９３ｂ方向に、三角形状の切欠部Ｌ５を設け、折れ線ｆ５から外袋半体部９３ｃ方向に三角形状の切欠部Ｌ５を設けている。
【０１７０】
また、この果実袋９１Ａでは、その外袋９３Ａの下方位置に、外袋表面部９２aの、折れ線ｆ４から外袋表面部９３a方向に、三角形状ののりしろ部ｔ１０を設け、外袋表面部９３aの、折れ線ｆ５から外袋表面部９２a方向に、三角形状ののりしろ部ｔ１０を設けている。
【０１７１】
のりしろ部ｔ１０の形状及び大きさ、三角形状の切欠部Ｌ５の形状及び大きさ、切欠部Ｌ３を折れ線ｆ３を中心線として、半分にした際の三角形状の切欠部半体部の形状及び大きさ、及び、切欠部Ｌ３を折れ線ｆ４を中心線として、半分にした際の三角形状の切欠部半体部の形状及び大きさは、同じ形状及び同じ大きさ、または、概ね同じ形状及び同じ大きさにされている。
【０１７２】
また、この果実袋９１Ａでは、外袋９３Ａの上部に、その下部方向に伸びる切込線Ｌ６・・・を形成している。
【０１７３】
この果実袋９１Ａは、のりしろ面ｔ５を用いて、内袋裏面半体部９２ｂと、内袋裏面半体部９２ｃとを接着した後、これを、外袋９３の外袋表面部９３ａ上に載置し、のりしろ面ｔ８を用いて、外袋裏面半体部９３ｂと、外袋裏面半体部９３ｃとを接着した後、のりしろ面ｔ４と、のりしろ面ｔ７を重ね合わせた状態で、のりしろ面ｔ４と、のりしろ面ｔ７を、外袋裏面半体部９３ｂと、外袋裏面半体部９３ｃとに接着する。
【０１７４】
果実袋９１Ａの以上の製造工程は、果実袋９１の製造工程と同様である。
【０１７５】
更に、この果実袋９１Ａでは、のりしろ面ｔ１０、ｔ１０にのり面を形成し、のりしろ面ｔ１０、ｔ１０の各々を、外袋裏面半体部９３ｂ及び外袋裏面半体部９３ｃの各々に背着し、果実袋９１Ａの形状を平面視した場合、上部開口部ｈｕ２と反対側が、先に行くにつれ先尖る、先尖形状にしている。
【０１７６】
尚、この果実袋９１Ａの果実への袋かけ作業は、果実袋９１の果実への袋かけ作業と同様であるので、ここでの説明は、省略する。
【０１７７】
この果実袋９１Ａでは、内袋９２Ａの上部に、その下部方向に伸びる切込線Ｌ４・・・を形成し、外袋９３Ａの上部に、その下部方向に伸びる切込線Ｌ６・・・を形成しているので、果実を、果実袋９１Ａの内袋９２Ａの上部開口部ｈｕ２を通じて、内袋９２Ａ内に収容し、のりしろ面ｔ６を用いて、果実の茎部分を切欠部Ｌ２を通じて内袋９２Ａの外に出すようにして、上部開口部ｈｕ２を接着止めするとともに、針金、紐その他の締結手段Ｗを用い、果実の茎部分、内袋９２Ａの上部開口部近傍、及び、外袋９３Ａの上部開口部近傍を巻きまわりする際に、果実袋９１Ａの上部を絞る作業を容易に行える。
【０１７８】
また、果実袋９１Ａの形状を平面視した場合、上部開口部ｈｕ２と反対側が、先に行くにつれ先尖る、先尖形状にしているので、果実に果実袋９１Ａの袋かけ作業をした後に、強い風が吹いても、果実袋９１Ａがクルクルと回転するようなことが低減する。
【０１７９】
この結果、この果実袋９１Ａを用いれば、果実に果実袋９１Ａの袋かけ作業をした後に、強い風が吹いても、果実袋９１Ａがクルクルと回転することが低減するので、果実の落下を防ぐことができる。
【０１８０】
尚、上記発明の実施の形態１〜３では、本発明の果実袋の用途を、果実に対する鳥害防止を中心に説明したが、カプサイシンは、鳥忌避剤として有効な他、害虫を忌避する虫忌避剤、果実等にカビが生えるのを防止するカビ忌避剤、又は、果実が病気にかかるのを防止する細菌忌避剤としても有効である。
【０１８１】
即ち、本発明者は、調査・試験・研究の結果、カプサイシンは、鳥忌避剤として有効な他、害虫を忌避する虫忌避剤、果実等にカビが生えるのを防止するカビ忌避剤、又は、果実が病気にかかるのを防止する細菌忌避剤としても有効である、ということを見出している。
【産業上の利用可能性】
【０１８２】
本発明に係る果実袋は、梨その他の果実を保護するとともに、果実に対する鳥害等を防止できるので、果実を保護する果実袋として、好適に用いることができる。
【図面の簡単な説明】
【０１８３】
【図１】本発明に係る果実袋の一例を概略的に示す構成図である。
【図２】図２（ａ）は、本発明に係る果実袋の一例の外袋の構成を示す模式的な断面図であり、また、図２（ｂ）は、本発明に係る果実袋の一例の内袋の構成を示す模式的な断面図である。
【図３】本発明に係る果実袋に用いる忌避剤塗布紙の一例を製造する忌避剤塗布紙製造装置を模式的に示す構成図である。
【図４】図４（ａ）は、忌避剤塗布装置の忌避剤塗布部の構成を概略的に示す断面図であり、また、図４（ｂ）は、忌避剤塗布部を構成している刷毛部の一本の毛の模式的な横断面図である。
【図５】図５（ａ）は、本発明に係る果実袋の他の一例の外袋の構成を示す模式的な断面図であり、また、図５（ｂ）は、本発明に係る果実袋の他の一例の内袋の構成を示す模式的な断面図である。
【図６】本発明に係る果実袋に用いる忌避剤塗布紙の他の一例を製造する忌避剤塗布紙製造装置を模式的に示す構成図である。
【図７】図７（ａ）は、本発明に係る果実袋の他の一例の外袋の構成を示す模式的な断面図であり、また、図７（ｂ）は、本発明に係る果実袋の他の一例の内袋の構成を示す模式的な断面図である。
【図８】パラフィン層に凹凸やムラが生じた場合の処理方法を模式的に示す説明図である。
【図９】本発明に係る果実袋の一例の使用例を模式的に示す斜視図である。
【図１０】図１０（ａ）は、図９に示す果実袋を模式的に示す斜視図であり、また、図１０（ｂ）は、図９に示す果実袋の模式的な展開図である。
【図１１】本発明に係る果実袋（二重袋）の一例を模式的に示す斜視図である。
【図１２】図１２（ａ）は、図１１に示す果実袋（二重袋）の内袋の模式的な展開図であり、又、図１２（ｂ）は、図１１に示す果実袋（二重袋）の外袋の模式的な展開図である。
【図１３】本発明に係る果実袋（二重袋）の他の一例を模式的に示す平面図であり、図１３（ａ）は、本発明に係る果実袋（二重袋）の他の一例の内袋を模式的に示す平面図であり、また、図１３（ｂ）は、本発明に係る果実袋（二重袋）の他の一例の外袋を模式的に示す平面図である。
【図１４】図１４（ａ）は、図１３（ａ）に示す果実袋（二重袋）の内袋の模式的な展開図であり、また、図１４（ｂ）は、図１３（ｂ）に示す果実袋（二重袋）の外袋の模式的な展開図である
【図１５】図１５（ａ）及び図１５（ｂ）の各々は、従来の果実袋の一例を概略的に示す構成図である。
【符号の説明】
【０１８４】
１、１１、４１、７１、８１、９１、９１Ａ  果実袋
１２、４２、７２、８２、９２  内袋
１２ａ、１３ａ、４２ａ、４３ａ、７２ａ、７３ａ  紙（基紙）
１２ｂ、１３ｂ、４２ｂ、４３ｂ、７２ｂ、７３ｂ  忌避剤（層）
４２ｃ、４３ｃ、７２ｃ、７３ｃ  パラフィン（層）
１３、４３、７３、８３、９３  外袋
【図１】
2006067846.tif 000003
【図２】
2006067846.tif 000004
【図３】
2006067846.tif 000005
【図４】
2006067846.tif 000006
【図５】
2006067846.tif 000007
【図６】
2006067846.tif 000008
【図７】
2006067846.tif 000009
【図８】
2006067846.tif 000010
【図９】
2006067846.tif 000011
【図１０】
2006067846.tif 000012
【図１１】
2006067846.tif 000013
【図１２】
2006067846.tif 000014
【図１３】
2006067846.tif 000015
【図１４】
2006067846.tif 000016
【図１５】
2006067846.tif 000017